(57)【要約】      （修正有）【課題】背負式送風作業機を作業者が使いやすい重心位置となるように設定する。【解決手段】背負式送風作業機は、作業者の背中に沿う背板部１２を少なくとも有し、背板部１２をショルダーストラップ１３によって作業者の背中に背負うようにした背負フレームと、背板部１２の後側にて背負フレームに搭載されて、背板部１２の平面方向と交差する方向を中心とした渦巻き形のボリュートケース２１と、ボリュートケース２１内に回転可能に支持した遠心ファン２２と、ボリュートケース２１に組み付けられて遠心ファン２２を回転させる電動モータ２３と、背負フレームに取り付けられて電動モータ２３に給電するバッテリパック４０とを備え、後方から見たときの重心Ｇが遠心ファン２２の回転中心軸よりも下側に配置され、側方から見たときの重心Ｇがボリュートケース２１の後端位置よりも前側に配置されるようにした。【選択図】図２
2016204930.tif 000002
【特許請求の範囲】
【請求項１】
作業者の背中に沿う背板部を少なくとも有し、該背板部をショルダーストラップによって作業者の背中に背負うようにした背負フレームと、
前記背板部の後側にて前記背負フレームに搭載されて、前記背板部の平面方向と交差する方向を中心とした渦巻き形のボリュートケースと、
前記ボリュートケース内に回転可能に支持した遠心ファンと、
前記ボリュートケースに組み付けられて前記遠心ファンを回転させる電動モータと、
前記背負フレームに取り付けられて前記電動モータに給電するバッテリパックとを備え、
後方から見たときの重心が前記遠心ファンの回転中心軸よりも下側に配置され、
側方から見たときの重心が前記ボリュートケースの後端位置よりも前側に配置されるようにしたことを特徴とする背負式送風作業機。
【請求項２】
請求項１に記載の背負式送風作業機において、
前記側方から見たときの重心が前記ボリュートケースの前後方向の中心よりも前側に配置されるようにしたことを特徴とする背負式送風作業機。
【請求項３】
請求項１または２に記載の背負式送風作業機において、
前記背負フレームは前記背板部の下端部から後側に延びる台座部を備え、
前記バッテリパックを前記台座部に取り付けるようにしたことを特徴とする背負式送風作業機。
【発明の詳細な説明】
【技術分野】
【０００１】
本発明は、落葉等の清掃作業に用いる背負式送風作業機に関し、特に、作業者がボリュートケース、遠心ファン及び電動モータを搭載した背負フレームを背負って清掃作業をする背負式送風作業機に関する。
【背景技術】
【０００２】
特許文献１には背負式送風作業機の一実施形態である背負式ブロワが開示されており、この背負式ブロワは作業者が背負うＬ字形をした背負フレームと、背負フレームに搭載したボリュートケースと、ボリュートケース内に回転可能に設けた遠心ファンと、ボリュートの後側に組み付けられて遠心ファンを回転させる電動モータと、背負フレームの下面に取り付けたバッテリとを備えている。この背負式ブロワにおいては、ボリュートケース内の遠心ファンはバッテリの給電によって駆動する電動モータにより回転し、遠心ファンの回転よってボリュート内に吸い込まれた空気はボリュートの噴出口から噴出するようになっている。
【先行技術文献】
【特許文献】
【０００３】
【特許文献１】米国特許第６００６４００号公報
【発明の概要】
【発明が解決しようとする課題】
【０００４】
特許文献１の背負式ブロワにおいては、遠心ファンを回転させる駆動源に電動モータを用いることで、内燃機関のエンジンを駆動源としたときと比べて低騒音化を実現できるようになっている。しかし、特許文献１の背負式ブロワでは、ボリュートの後側に大型の電動モータを取り付けており、また、背負フレームの下面の前後方向の中間部に大型のバッテリを取り付けたものであり、背負式ブロワの重心位置が前後方向の中間部より後側となっていた。このため、この背負式ブロワの背負フレームを背負って使用すると、重心位置が後部にあるために、作業者が後側に倒れやすくなり、背負式ブロワが使いにくい問題があった。本発明は、作業者が使いやすい重心位置となるように設定した背負式送風作業機を提供することを目的とする。
【課題を解決するための手段】
【０００５】
上記課題を解決するために、本発明は、作業者の背中に沿う背板部を少なくとも有し、背板部をショルダーストラップによって作業者の背中に背負うようにした背負フレームと、背板部の後側にて背負フレームに搭載されて、背板部の平面方向と交差する方向を中心とした渦巻き形のボリュートケースと、ボリュートケース内に回転可能に支持した遠心ファンと、ボリュートに組み付けられて遠心ファンを回転させる電動モータと、背負フレームに取り付けられて電動モータに給電するバッテリパックとを備え、後方から見たときの重心が遠心ファンの回転中心軸よりも下側に配置され、側方から見たときの重心がボリュートケースの後端位置よりも前側に配置されるようにしたことを特徴とする背負式送風作業機を提供するものである。
【０００６】
上記のように構成した背負式送風作業機においては、後方から見たときの重心が遠心ファンの回転中心軸よりも下側に配置され、側方から見たときの重心がボリュートケースの後端位置よりも前側に配置されるようにしたので、作業者が背負フレームを背負っても後側に倒れにくくなり、背負式送風作業機を使いやすくすることができた。この場合において、側方から見たときの重心がボリュートケースの前後方向の中心よりも前側に配置されるようにするのが好ましく、作業者が背負フレームを背負っても後側にさらに倒れにくくなり、背負式送風作業機をさらに使いやすくすることができた。
【０００７】
上記のように構成した背負式送風作業機においては、背負フレームは背板部の下端部から後側に延びる台座部を備え、バッテリパックを台座部に取り付けるようにするのが好ましく、このようにしたときには、背負式送風機の重心を一層低くすることができ、作業者が背負フレームを安定して背負うことができるようになった。
【図面の簡単な説明】
【０００８】
【図１】本発明の背負式送風作業機の第１実施形態の背負式ブロワの側面図である。
【図２】図１の左右方向の中心位置（原動機の回転軸の位置）の縦方向断面図である。
【図３】図１のカバーを取り外した状態の背面図である。
【図４】第２実施形態の背負式ブロワの側面図である。
【図５】図４の左右方向の中心位置（原動機の回転軸の位置）の縦方向断面図である。
【図６】図４のカバーを取り外した状態の背面図である。
【図７】第３実施形態の左側面図（ａ）であり、背面図（ｂ）である。
【図８】図７の原動機の回転軸の位置における縦方向断面図である。
【図９】第４実施形態の左側面図（ａ）であり、背面図（ｂ）である。
【図１０】図９の原動機の回転軸の位置における縦方向断面図である。
【図１１】第５実施形態の原動機の回転軸の位置における縦方向断面図である。
【発明を実施するための最良の形態】
【０００９】
以下、本発明の背負式送風作業機の一実施形態である背負式ブロワを添付図面を参照して説明する。
（第１実施形態）
図１〜図３に示したように、第１実施形態の背負式ブロワ１０は、作業者の背中に沿う背板部１２を少なくとも有した背負フレーム１１と、背板部１２の後側にて背負フレーム１１に搭載されて背板部１２の平面方向と交差する方向を中心とした渦巻き形のボリュートケース２１と、ボリュートケース２１内に回転可能に支持した遠心ファン２２と、ボリュートケース２１に組み付けられて遠心ファン２２を回転させる電動モータ２３と、背負フレーム１１に取り付けられて電動モータ２３に給電するバッテリパック４０とを備えている。この背負式ブロワ１０においては、後方から見たときの重心Ｇが遠心ファン２２の回転中心軸２２ａよりも下側に配置され、側方から見たときの重心Ｇがボリュートケース２１の後端位置よりも前側に配置されたことに主とした特徴を有している。以下に、この背負式ブロワ１０について詳述する。
【００１０】
図１〜図３に示したように、背負フレーム１１はボリュートケース２１と遠心ファン２２と電動モータ２３とを備えた送風ユニット２０を背負って運ぶためのものであり、併せて、送風ユニット２０の電動モータ２３に給電するバッテリパック４０と、電動モータ２３の駆動及びバッテリパック４０からの給電を制御する制御装置４１とを搭載するものある。背負フレーム１１は、作業者の背中に沿う背板部１２を有し、背板部１２を左右一対のショルダーストラップ１３によって作業者の背中に背負うようにしたものである。背負フレーム１１は作業者の背中に沿って略鉛直方向に起立する背板部１２の下端部から後側に延出する台座部１４をさらに備えている。背負フレーム１１の背板部１２には送風ユニット２０に空気を取り込むための多数の空気取込口１２ａが形成されており、台座部１４の前部にも送風ユニット２０に空気を取り込むための空気取込口１４ａが形成されている。
【００１１】
図１〜図３に示したように、送風ユニット２０は、電動モータ２３によってボリュートケース２１内の遠心ファン２２を回転させることで送風筒部２１ｂの先端の送風口２１ｃから送風するものである。ボリュートケース２１は背板部１２の平面方向と直交（交差）する方向を中心とした渦巻き形をしている。ボリュートケース２１は後側に吸気口２１ａが形成されており、右側部に渦巻き形の外側先端部となる筒形をした送風筒部２１ｂが外側に延出して形成されており、送風筒部２１ｂの先端に送風口２１ｃが形成されている。ボリュートケース２１の送風筒部２１ｂの送風口２１ｃには送風管３０が連通接続されている。
【００１２】
ボリュートケース２１内には遠心ファン２２が回転可能に設けられており、ボリュートケース２１の前面には電動モータ２３が取り付けられている。遠心ファン２２はボリュートケース２１内にて電動モータ２３の回転軸（出力軸）２３ａに固定されている。電動モータ２３はこの実施形態ではアウターロータ型の電動モータを採用している。送風ユニット２０は、ボリュートケース２１の前面に電動モータ２３を一体的に組み付けるようにし、ボリュートケース２１内にて電動モータ２３の回転軸２３ａに遠心ファン２２を回転可能に取り付けるようにして１つのユニットとなっている。送風ユニット２０は１つのユニットとなった状態で台座部１４の上面に後述するバッテリパック４０及び制御装置４１を搭載する搭載空間を設けた状態で背板部１２にコイルスプリング１５によって弾性的に支持されている。
【００１３】
図１に示したように、ボリュートケース２１の送風口２１ｃに接続した送風管３０は、エルボ管３１と、エルボ管３１の先端部に接続された蛇腹状のフレキシブル管３２と、フレキシブル管３２の先端部に接続された真直管３３とを備えている。真直管３３には作業者が把持するグリップ３４が設けられており、作業者はグリップ３４を把持して送風管３０の先端開口を所望の方向に向くように操作することができる。
【００１４】
図２及び図３に示したように、背負フレーム１１の台座部１４の後部上面にはバッテリパック４０を取り付ける４つの取付部１６が左右方向に並んで配設されており、これら取付部１６には電動モータ２３に給電するバッテリパック４０が前後方向にスライド移動可能に着脱可能に取り付けられている。バッテリパック４０は取付部１６から取り外した状態で図示しない充電器により充電可能なものであり、他の電動式園芸作業機や電動工具の電源にも用いることが可能なものを用いている。
【００１５】
図２に示したように、背負フレーム１１の台座部１４の前部上面には制御装置４１が取り付けられており、制御装置４１は電動モータ２３の駆動を制御するとともに、バッテリパック４０から電動モータ２３の給電を制御している。図１及び図２に示したように、背負フレーム１１には送風ユニット２０と制御装置４１を覆うカバー４２が設けられている。
【００１６】
上記のように構成した背負式ブロワ１０の作動について説明する。作業者はショルダーストラップ１３を肩に掛けるようにして背負フレーム１１を背負って、電動モータ２３をバッテリパック４０からの給電によって駆動させると、遠心ファン２２がボリュートケース２１内で回転する。遠心ファン２２の回転によって、吸気口２１ａからボリュートケース２１内に吸い込まれた空気は送風口２１ｃから送風管３０送り出され、送風管３０に送出された空気は先端開口から地面に噴き出される。作業者が送風管３０のグリップ３４を把持して真直管３３の先端開口を作業者の前側で左右方向に回動させることで、作業者の前側の地面に広範囲に散る落葉等を吹き集めることができる。
【００１７】
上記のように構成した背負式ブロワ１０は、バッテリパック４０による給電により電動モータ２３を駆動させるようにしているため、背負フレーム１１に重量物として電動モータ２３と、４つ（複数）のバッテリパック４０とを搭載しなければならない。本願出願人はこれらの重量物の部品（電動モータ２３、バッテリパック４０等）の背負フレーム１１における搭載位置により、作業者が背負式ブロワ１０を背負って作業をするときの使いやすさ、疲れやすさに違いがあることに気付いた。これに対し、本願出願人は背負式ブロワ１０の重心位置ができるだけ低い位置で作業者に近いときに、作業者が背負式ブロワ１０を使いやすく、また、疲れにくく感じることを知得した。この知得に基づいて、背負式ブロワ１０においては、図２及び図３に示したように、後方から見たときの重心Ｇが遠心ファン２２の回転中心軸２２ａよりも下側に配置され、側方から見たときの重心Ｇがボリュートケース２１の後端位置よりも前側に配置されるようにすれば、背負式ブロワ１０の使いやすさ及び疲れにくさを実現することができることを種々のデータから見いだすことができた。さらに、側方から見たときの重心Ｇがボリュートケース２１の前後方向の中心よりも前側に配置されるようにすれば、さらに顕著な効果を得られることを種々のデータから見いだすこともできた。
【００１８】
このため、上記のように構成した背負式ブロワ１０では、ボリュートケース２１の渦巻き形の中心軸線を背板部１２の平面方向と交差する方向となるように、ボリュートケース２１を起立させて背板部１２の後側に配置することで、背負フレーム１１の前後方向の長さを短くして作業者の背中からできるだけ近い位置に重心位置が配置されるようにしている。また、この実施形態では、電動モータ２３をボリュートケース２１の前面に固定することで、重量物である電動モータ２３をボリュートケース２１よりも前側に配置し、電動モータ２３をできるだけ作業者に近づけるようにしている。さらに、この実施形態では、バッテリパック４０をボリュートケース２１の下側にて背負フレーム１１の台座部１４の上面に取り付けるようにした。このように、背負式ブロワ１０では、前後方向の長さを短くして嵩張らないようにボリュートケース２１を起立させた状態として、重量物である電動モータ２３をボリュートケース２１の前面に固定し、重量物であるバッテリパック４０をボリュートケース２１の下側に配置することにより、上述したように、背負式ブロワ１０の後方から見たときの重心Ｇが遠心ファン２２の回転中心軸２２ａよりも下側に配置され、側方から見たときの重心Ｇがボリュートケース２１の後端位置よりも前側に、特に、この実施形態では、側方から見たときの重心Ｇがボリュートケース２１の前後方向の中心Ｃよりも前側に配置されるようにした。これによって、背負式ブロワ１０を背負って作業をしても、ショルダーストラップ１３が後側に引っ張るように作業者の肩に掛けられるのを防ぎ、作業者が後側に倒れにくくなるとともに、作業中に疲れにくくすることができた。
【００１９】
（第２実施形態）
次に、第２実施形態の背負式ブロワ１０を図４〜図６を用いて説明する。第２実施形態の背負式ブロワ１０は、送風ユニット２０を第１及び第２送風ユニット２０Ａ，２０Ｂの２つの送風ユニットによって構成するようにしたものである。第１送風ユニット２０Ａは背負フレーム１１の背板部１２の後側に配置され、第２送風ユニット２０Ｂは第１送風ユニット２０Ａの後側に配置されている。
【００２０】
図４〜図６に示したように、第１送風ユニット２０Ａは第１ボリュートケース２１Ａの後面に第１電動モータ２３Ａを一体的に組み付けるようにし、第１ボリュートケース２１Ａ内にて第１電動モータ２３Ａの回転軸（出力軸）２３Ａａに第１遠心ファン２２Ａの中心部（回転中心軸２２Ａａのある位置）を回転可能に取り付けるようにして１つのユニットとしたものである。第１ボリュートケース２１Ａは背板部１２の平面方向と直交（交差）する方向を中心とした渦巻き形をしている。第１ボリュートケース２１Ａは前側に吸気口２１Ａａが形成されており、右側部に渦巻き形の外側先端部となる筒形をした送風筒部２１Ａｂが外側に延出して形成されており、送風筒部２１Ａｂの先端に送風口２１Ａｃが形成されている。
【００２１】
図４〜図６に示したように、第２送風ユニット２０Ｂは第２ボリュートケース２１Ｂの前面に第２電動モータ２３Ｂを一体的に組み付けるようにし、第２ボリュートケース２１Ｂ内にて第２電動モータ２３Ｂの回転軸（出力軸）２３Ｂａに第２遠心ファン２２Ｂの中心部（回転中心軸２２Ｂａのある位置）を回転可能に取り付けるようにして１つのユニットとしたものである。第２ボリュートケース２１Ｂは背板部１２の平面方向と直交（交差）する方向を中心とした渦巻き形をしている。第２ボリュートケース２１Ｂは後側に吸気口２１Ｂａが形成されており、右側部に渦巻き形の外側先端部となる筒形をした送風筒部２１Ｂｂが外側に延出して形成されており、送風筒部２１Ｂｂの先端に送風口２１Ｂｃが形成されている。第１及び第２ボリュートケース２１Ａ，２１Ｂの両送風口２１Ａｃ，２１Ｂｃにはこれらから送り出される空気が合流するように第１実施形態と同様の送風管３０が連通接続されている。
【００２２】
図５に示したように、第１送風ユニット２０Ａはボリュートケース２１Ａをコイルスプリング１５を介して背板部１２に固定することで背負フレーム１１に弾性的に支持されている。また、第２送風ユニット２０Ｂは第２電動モータ２３Ｂを第１送風ユニット２０Ａの第１電動モータ２３Ａに固定することで第１送風ユニット２０Ａを介して背負フレーム１１に弾性的に支持されている。この実施形態では第１及び第２電動モータ２３Ａ，２３Ｂの回転軸２３Ａａ，２３Ｂａは同軸的に配置されている。
【００２３】
図６に示したように、背負フレーム１１の台座部１４の後部上面にはバッテリパック４０を取り付ける４つの取付部１６が左右方向に並んで配設されており、これら取付部１６には電動モータ２３に給電するバッテリパック４０が前後方向にスライド移動可能に着脱可能に取り付けられている。バッテリパック４０は取り外した状態で図示しない充電器により充電可能なものであり、他の電動式園芸作業機や電動工具の電源にも用いることが可能なものを用いている。
【００２４】
図５に示したように、背負フレーム１１の台座部１４の前部上面には制御装置４１が取り付けられており、制御装置４１は電動モータ２３の駆動を制御するとともに、バッテリパック４０から電動モータ２３の給電を制御している。これら以外については上述した第１実施形態の構成と同様である。
【００２５】
上記のように構成した背負式ブロワ１０においては、重量物である第１及び第２電動モータ２３Ａ，２３Ｂをできるだけ前側に配置し、バッテリパック４０を第１及び第２ボリュートケース２１Ａ，２１Ｂより下側に配置することで、背負式ブロワ１０の後方から見たときの重心Ｇが第１及び第２遠心ファン２２Ａ，２２Ｂの回転中心軸２２Ａａ，２２Ｂａよりも下側に配置され、側方から見たときの重心Ｇが後側の第２ボリュートケース２１Ｂの後端位置よりも前側に、特に、この実施形態では、側方から見たときの重心Ｇが第２ボリュートケース２１Ｂの前後方向の中心Ｃよりも前側に配置されるようにした。これによって、背負式ブロワ１０を背負って作業をしても、ショルダーストラップ１３が後側に引っ張るように作業者の肩に掛けられるのを防ぎ、作業者が後側に倒れにくくなるとともに、作業中に疲れにくくすることができた。
【００２６】
（第３実施形態）
次に、第３実施形態の背負式ブロワ１０を図７及び図８を用いて説明する。図７及び図８では、主として送風ユニット２０Ａ，２０Ｂとバッテリパック４０の配置の説明をするために、左右一対のショルダーストラップ１３、制御装置４１及びカバー４２の記載を省略している。第３実施形態の背負式ブロワ１０は、第２実施形態の背負式ブロワ１０と同様に、送風ユニット２０を第１及び第２送風ユニット２０Ａ，２０Ｂの２つの送風ユニットによって構成するようにしたものである。この第３実施形態では、第１及び第２送風ユニット２０Ａ，２０Ｂは背板部１２の後側にて上下に並べて配置されている。また、第１及び第２送風ユニット２０Ａ，２０Ｂは後述するバッテリパック４０を背負フレーム１１の背板部１２の左側部に上下に並べて配置したときの重量のバランスをとるために、背板部１２の左右方向の中心から右側にずらした位置で上下に並べて配置している。
【００２７】
図８に示したように、第１及び第２送風ユニット２０Ａ，２０Ｂは第１及び第２ボリュートケース２１Ａ，２１Ｂの前面に第１及び第２電動モータ２３Ａ，２３Ｂを一体的に組み付けるようにし、第１及び第２ボリュートケース２１Ａ，２１Ｂ内にて第１及び第２電動モータ２３Ａ，２３Ｂの各回転軸２３Ａａ，２３Ｂａに第１及び第２遠心ファン２２Ａ，２２Ｂを回転可能に取り付けるようにして１つのユニットとしたものである。図７及び図８に示したように、第１及び第２ボリュートケース２１Ａ，２１Ｂは背板部１２の平面方向と直交（交差）する方向を中心とした渦巻き形をしている。第１及び第２ボリュートケース２１Ａ，２１Ｂは後側に吸気口２１Ａａ，２１Ｂａが形成されており、右側部に渦巻き形の外側先端部となる筒形をした送風筒部２１Ａｂ，２１Ｂｂが外側に延出して形成されており、各送風筒部２１Ａｂ，２１Ｂｂの先端に送風口２１Ａｃ，２１Ｂｃが形成されている。この第３実施形態では、上側に配置された第１ボリュートケース２１Ａの送風筒部２１Ａｂと送風管３０との間には第１接続管２４Ａが連通接続され、下側に配置された第２ボリュートケース２１Ｂの送風筒部２１Ｂｂと送風管３０との間には第２接続管２４Ｂが連通接続されている。
【００２８】
この実施形態の背負フレーム１１は第１及び第２実施形態の台座部１４を備えてなく、背板部１２の左側部にはバッテリパック４０の４つの取付部１６を上下に並んで配設している。各取付部１６にはバッテリパック４０が前後方向にスライド移動可能に着脱可能に取り付けられている。４つのバッテリパック４０は、背負フレーム１１の右側部にて第１及び第２ボリュートケース２１Ａ，２１Ｂの各送風口２１Ａｃ，２１Ｂｃに連通接続した送風管３０との左右方向における重量のバランスを取るために背板部１２の左側部に取り付けられている。これ以外の構造については上述した第３実施形態と同様である。
【００２９】
上記のように構成した背負式ブロワ１０においては、重量物である第１及び第２電動モータ２３Ａ，２３Ｂを背板部１２の直ぐ後側に配置し、バッテリパック４０を背板部１２の直ぐ後側にて第１遠心ファン２２Ａの回転中心軸２２Ａａより下側に配することで、背負式ブロワ１０の後方から見たときの重心Ｇが第１遠心ファン２２Ａの回転中心軸２２Ａａよりも下側に配置され、側方から見たときの重心Ｇが第１及び第２ボリュートケース２１Ａ，２１Ｂの後端位置よりも前側に、特に、この実施形態では、側方から見たときの重心Ｇが第１及び第２ボリュートケース２１Ａ，２１Ｂの前後方向の中心よりも前側に配置されるようにした。これによって、背負式ブロワ１０を背負って作業をしても、ショルダーストラップ１３が後側に引っ張るように作業者の肩に掛けられるのを防ぎ、作業者が後側に倒れにくくなるとともに、作業中に疲れにくくすることができた。
【００３０】
なお、この実施形態では、バッテリパック４０を背板部１２の左側部に上下に並べて配置したが、本発明はこれに限られるものでなく、バッテリパック４０を背板部１２の下部（背板部１２の下端部から下方に延出させた台座部１４の上面でもよい）に左右に並べて配置したものであってもよい。このように配置したときには、さらに背負式ブロワ１０の重心位置を低くでき、作業中に疲れにくくすることができた。
【００３１】
（第４実施形態）
次に、第４実施形態の背負式ブロワ１０を図９及び図１０を用いて説明する。図９及び図１０では、主として送風ユニット２０Ａ，２０Ｂとバッテリパック４０の配置の説明をするために、左右一対のショルダーストラップ１３、制御装置４１及びカバー４２の記載を省略している。第４実施形態の背負式ブロワ１０は、第３実施形態の背負式ブロワ１０と同様に、第１及び第２送風ユニット２０Ａ，２０Ｂを背板部１２の後側にて上下に並べて配置している。第４実施形態の背負式ブロワ１０では、下側の第２送風ユニット２０Ｂを第１送風ユニット２０Ａよりも後側にずらすことで、上側の第１ボリュートケース２１Ａの下部と下側の第２ボリュートケース２１Ｂの上部との接触による干渉を防ぎ、上側の第１送風ユニット２０Ａを第３実施形態の背負式ブロワ１０よりも下側位置に配置している。第４実施形態では、第１及び第２ボリュートケース２１Ａ，２１Ｂが第３実施形態よりも後側に配置されているので、背板部１２の左側部に配置したバッテリパック４０を中央部よりに近づけて配置できるようになっている。なお、第４実施形態のバッテリパック４０は左右方向にスライド移動可能に着脱可能に取り付けられている。これ以外の構造については上述した第３実施形態と同様である。
【００３２】
上記のように構成した背負式ブロワ１０においては、重量物である第１及び第２電動モータ２３Ａ，２３Ｂを背板部１２の後側に配置し、４つのバッテリパック４０のうちの３つを背板部１２の直ぐ後側にて上側の第１遠心ファン２２Ａの回転中心軸２２Ａａより下側に配置することで、背負式ブロワ１０の後方から見たときの重心Ｇが第１遠心ファン２２Ａの回転中心軸２２Ａａよりも下側に配置され、側方から見たときの重心Ｇが後側の第２ボリュートケース２１Ｂの後端位置よりも前側に、特に、この実施形態では、側方から見たときの重心Ｇが第１及び第２ボリュートケース２１Ａ，２１Ｂの前後方向の中心Ｃよりも前側に配置されるようにした。これによって、背負式ブロワ１０を背負って作業をしても、ショルダーストラップ１３が後側に引っ張るように作業者の肩に掛けられるのを防ぎ、作業者が後側に倒れにくくなるとともに、作業中に疲れにくくすることができた。
【００３３】
なお、この実施形態でも、バッテリパック４０を背板部１２の左側部に上下に並べて配置したが、本発明はこれに限られるものでなく、バッテリパック４０を背板部１２の下部（背板部１２の下端部から下方に延出させた台座部１４の上面でもよい）に左右に並べて配置したものであってもよい。このように配置したときには、さらに背負式ブロワ１０の重心位置を低くでき、作業中に疲れにくくすることができた。
【００３４】
（第５実施形態）
次に、第５実施形態の背負式ブロワ１０を図１１を用いて説明する。図１１では、主として送風ユニット２０Ａ，２０Ｂの配置の説明をするために、左右一対のショルダーストラップ１３、制御装置４１及びカバー４２の記載を省略している。第５実施形態の背負式ブロワ１０は、第３実施形態の背負式ブロワ１０と同様に、第１及び第２送風ユニット２０Ａ，２０Ｂを背板部１２の後側にて上下に並べて配置している。また、第５実施形態の背負式ブロワ１０では、第１及び第２ボリュートケース２１Ａ，２１Ｂの中心軸、第１及び第２遠心ファン２２Ａ，２２Ｂの回転中心軸２２Ａａ，２２Ｂａ、第１及び第２電動モータ２３Ａ，２３Ｂの回転軸２３Ａａ，２３Ｂａの各軸線方向を斜め後方にて４５°に傾斜させて配置している。第１及び第２ボリュートケース２１Ａ，２１Ｂは背板部１２の平面方向と４５°にて交差する方向を中心とした渦巻き形をしている。これ以外については、上述した第３及び第４実施形態と同様である。
【００３５】
上記のように構成した背負式ブロワ１０においては、重量物である第１及び第２電動モータ２３Ａ，２３Ｂを背板部１２の後側に配置することで、背負式ブロワ１０の後方から見たときの重心Ｇが第１遠心ファン２２Ａの回転中心軸２２Ａａよりも下側に配置され、側方から見たときの重心Ｇが後側の第２ボリュートケース２１Ｂの後端位置よりも前側に、特に、この実施形態では、側方から見たときの重心Ｇが第１及び第２ボリュートケース２１Ａ，２１Ｂの前後方向の中心よりも前側に配置されるようにした。これによって、背負式ブロワ１０を背負って作業をしても、ショルダーストラップ１３が後側に引っ張るように作業者の肩に掛けられるのを防ぎ、作業者が後側に倒れにくくなるとともに、作業中に疲れにくくすることができた。
【００３６】
なお、この実施形態でも、バッテリパック４０を背板部１２の左側部に上下に並べて配置したが、本発明はこれに限られるものでなく、バッテリパック４０を背板部１２の下部（背板部１２の下端部から下方に延出させた台座部１４の上面でもよい）に左右に並べて配置したものであってもよい。このように配置したときには、さらに背負式ブロワ１０の重心位置を低くでき、作業中に疲れにくくすることができた。
【００３７】
上記の各実施形態においては、電動モータ２３（２３Ａ，２３Ｂ）の各出力軸（回転軸）に第１及び第２遠心ファン２２Ａ，２２Ｂを取り付けたが、本発明はこれに限られるものでなく、第１及び第２電動モータ２３の各出力軸の回転を例えば歯車対やベルトとプーリを用いた動力伝達機構によって回転する回転軸に第１及び第２遠心ファン２２Ａ，２２Ｂを取り付け、電動モータ２３の駆動を歯車伝達機構によって回転軸を回転させ、回転軸の回転によって第１及び第２遠心ファン２２Ａ，２２Ｂを回転させたものであってもよい。
【００３８】
上記の各実施形態においては、電動モータ２３（２３Ａ，２３Ｂ）に給電するバッテリパックを背負フレーム１１に４つ搭載するようにしたが、本発明はこれに限られるものでなく、１つまたは２つ以上（複数）のバッテリパックを用いたものであってもよく、このようにしたときも上述したのと同様の作用効果を得ることができる。
【符号の説明】
【００３９】
１０…背負式送風作業機（背負式ブロワ）、１１…背負フレーム、１２…背板部、１３…ショルダーストラップ、１４…台座部、２１…ボリュートケース、２１Ａ…ボリュートケース（第１ボリュートケース）、２１Ｂ…ボリュートケース（第２ボリュートケース）、２２…遠心ファン、２２Ａ…遠心ファン（第１遠心ファン）、２２Ｂ…遠心ファン（第２遠心ファン）、２３…電動モータ、２３Ａ…電動モータ（第１電動モータ）、２３Ｂ…電動モータ（第２電動モータ）、４０…バッテリパック。
【図１】
2016204930.tif 000003
【図２】
2016204930.tif 000004
【図３】
2016204930.tif 000005
【図４】
2016204930.tif 000006
【図５】
2016204930.tif 000007
【図６】
2016204930.tif 000008
【図７】
2016204930.tif 000009
【図８】
2016204930.tif 000010
【図９】
2016204930.tif 000011
【図１０】
2016204930.tif 000012
【図１１】
2016204930.tif 000013